(57)【要約】【課題】レンタルショップにおいて複数巻のコミックスを一度にまとめて運べると共に、カウンターでの処理がスムーズに行える、セット本の貸出ケースを提供する。【解決手段】複数巻のセット本１７をまとめて収納し陳列して貸し出す貸出ケース１１であって、この貸出ケース１１は、箱形状で正面に開口部１２を有し該開口部１２から本１７を出し入れするケース本体部１３と、該ケース本体部１３の側面に連設されて開口部１２を施蓋する透明な蓋部材１４と、該施蓋した状態の蓋部材１４を覆うためのカバー部材１５とから成り、蓋部材１４の縁部と開口部１２の縁部とを係合するスライドファスナー２０が設けられている。【選択図】図１
2011005720.tif 000002
【特許請求の範囲】
【請求項１】
複数巻のセット本をまとめて収納し陳列して貸し出す貸出ケースであって、
該貸出ケースは、
箱形状で正面が透明に形成され、且つ前記正面又は少なくとも１つの面に開口部を有して該開口部から本を出し入れするケース本体部と、
該ケース本体部に連設されて前記開口部を施蓋する透明又は不透明な蓋部材と、
前記透明な正面を覆うためのカバー部材と、から成り、
前記蓋部材の縁部と前記開口部の縁部とを係合するスライドファスナーが設けられていること
を特徴とするセット本の貸出ケース。
【請求項２】
前記スライドファスナーは、開閉不能に固定する防犯タグが設けられていること
を特徴とする請求項１に記載のセット本の貸出ケース。
【請求項３】
前記スライドファスナーは、一対のスライダーが設けられ、
該スライダー同士を離隔不可能な状態にロック付きの防犯タグで係止すること
を特徴とする請求項１に記載のセット本の貸出ケース。
【請求項４】
前記ケース本体部の上部には、把手が設けられること
を特徴とする請求項１に記載のセット本の貸出ケース。
【請求項５】
前記蓋部材の一部には、本のタイトル等を表示する表示部が設けられること
を特徴とする請求項１に記載のセット本の貸出ケース。
【請求項６】
前記カバー部材は、一端部が前記ケース本体部の一方の側面に連設され、他端部が他方の側面に係止手段によって係止自在であること
を特徴とする請求項１に記載のセット本の貸出ケース。
【発明の詳細な説明】
【技術分野】
【０００１】
本発明は、セット本の貸出ケースに関するものであり、更に詳しくは、コミックス等の本を複数巻まとめて陳列し、貸出及び返却手続をスムーズに行い、なおかつ、当該本が不正に持ち出されないように収納する、セット本の貸出ケースに関するものである。
【背景技術】
【０００２】
従来、レンタルショップ等においてコミックス等の本を収納して陳列するケースとしては、図４示すコミックス用の陳列ケース１が知られている。この陳列ケース１は、コミックス２を収納するケース本体部３と、このケース本体部３の外周面に巻き付けた状態で取り付ける透明なフィルム材４とから成り、底部５は上げ底構造に形成されており、フィルム材４の内側にコミックス２のジャケット６を挟持して使用する（特許文献１参照）。
【０００３】
このような構成の陳列ケース１は、コミックス２が収納されて陳列されており、このコミックス２を取り出してお客が自らカウンターに持って行く。カウンターでは店員がコミックス２の貸出手続を行うと共に、そのコミックス２を貸出専用の収納袋に入れてお客に渡している。
【先行技術文献】
【特許文献】
【０００４】
【特許文献１】特開２００５−１３８３５４号公報
【発明の概要】
【発明が解決しようとする課題】
【０００５】
この従来例の陳列ケース１においては、コミックスを１冊しか収納できない。しかし、コミックスはシリーズものであることが多く、例えば５〜１０巻程度を一度に貸し出す傾向が強い。この場合は、お客はそれぞれの陳列ケースから１冊ずつコミックスを抜き取り、それら沢山のコミックスをかかえてカウンターに持って行かなくてはならず、誠に厄介であるという欠点を有している。
【０００６】
また、カウンターでは、沢山のコミックスを１冊ずつ手に取って、バーコードを読み取って貸出手続を行ってから、それらのコミックスを貸出専用の収納袋に入れてお客に渡すので、商品のスムーズな処理ができないという欠点がある。同様に、返却時においても、１冊ずつ返却手続を行うので、スムーズな処理ができない。
【０００７】
更には、陳列ケース１はコミックスを１冊しか収納できないので、仮に防犯タグを取り付けるとすれば、１冊に１個の防犯タグが必要であり、セキュリティーのコストが高くなるという欠点もある。
【０００８】
従って、従来例における陳列ケース１においては、お客が沢山のコミックスを一度にまとめて借りられるようにすることと、カウンターでの貸出及び返却手続をスムーズに行えるようにすることと、セキュリティーのコストを下げることとに解決しなければならない課題を有している。
【課題を解決するための手段】
【０００９】
前記従来例の課題を解決するための本発明の要旨は、複数巻のセット本をまとめて収納し陳列して貸し出す貸出ケースであって、該貸出ケースは、箱形状で正面が透明に形成され、且つ前記正面又は少なくとも１つの面に開口部を有して該開口部から本を出し入れするケース本体部と、該ケース本体部に連設されて前記開口部を施蓋する透明又は不透明な蓋部材と、前記透明な正面を覆うためのカバー部材と、から成り、前記蓋部材の縁部と前記開口部の縁部とを係合するスライドファスナーが設けられていることである。
【００１０】
また、前記スライドファスナーは、開閉不能に固定する防犯タグが設けられていること、；
前記スライドファスナーは、一対のスライダーが設けられ、該スライダー同士を離隔不可能な状態にロック付きの防犯タグで係止すること、；
前記ケース本体部の上部には、把手が設けられること、；
前記蓋部材の一部には、本のタイトル等を表示する表示部が設けられること、；
前記カバー部材は、一端部が前記ケース本体部の一方の側面に連設され、他端部が他方の側面に係止手段によって係止自在であること、；
を含むものである。
【発明の効果】
【００１１】
本発明に係るセット本の貸出ケースによれば、コミックス等の複数巻のセット本がまとめて収納されているので、お客がコミックスをまとめて借りる場合に、貸出ケースごとカウンターに持って行けばよい。また、正面は透明なのでお客は貸出ケースの外からコミックスのタイトル等を見ることができる。
更に、カウンターでの貸出手続きが終わった後には、貸出ケースごと持ち帰れるので便利であると共に、従来例のように別途の貸出専用の収納袋に入れる必要がなく、カウンターでの処理をスムーズに行えるという種々の優れた効果を奏する。
【００１２】
また、スライドファスナーは、開閉不能に固定する防犯タグが設けられており、更には、スライドファスナーは、一対のスライダーが設けられ、該スライダー同士を離隔不可能な状態にロック付きの防犯タグで係止することによって、お客が勝手にスライドファスナーを開けることができないので、貸出ケース内の本の盗難防止に有効である。
また、カウンターでロックを解除しなくては防犯タグを取り外せないので、お客が勝手に貸出ケースを店外に持ち出そうとすれば、店の防犯センサーが警戒音を発することとなり、貸出ケースの盗難防止に有効である。
更には、多数冊のコミックスに対して１個の防犯タグを設ければよいので、セキュリティーのコストが低いというという種々の優れた効果を奏する。
【００１３】
そして、ケース本体部の上部には、把手が設けられることによって、貸出手続きが終わった後に、お客が把手を持って貸出ケースごと持ち帰れるので便利であるという優れた効果を奏する。
【００１４】
更に、蓋部材の一部には、本のタイトル等を表示する表示部が設けられることによって、コミックスの陳列時にお客が種々の表示を読めるので便利であるという優れた効果を奏する。
【００１５】
また、カバー部材は、一端部が前記ケース本体部の一方の側面に連設され、他端部が他方の側面に係止手段によって係止自在であることによって、カウンターにおいてカバー部材で蓋部材を覆って係止手段で係止させれば、貸出手続きが終わった貸出ケースであることが一目で判別できるという優れた効果を奏する。
【図面の簡単な説明】
【００１６】
【図１】本発明に係るセット本の貸出ケース１１の斜視図である。
【図２】スライダー２１の引手２２に取り付けたロック付きの防犯タグ２４を示す斜視図である。
【図３】展示ケース２６の斜視図である。
【図４】従来例に係る防犯ケース１を開いた状態の斜視図である。
【発明を実施するための形態】
【００１７】
次に、本発明の実施の形態について図面を参照しながら説明する。まず、図１において、符号１１はセット本の貸出ケースを示し、このセット本の貸出ケース１１は、箱形状で正面に開口部１２を有するケース本体部１３と、開口部１２を施蓋する蓋部材１４と、この蓋部材１４を覆うためのカバー部材１５とから構成される。
【００１８】
ケース本体部１３は、例えば合成樹脂材、布材、又は不織布材等のシート状材料で箱形状に形成されており、正面に開口部１２を有する。この開口部１２から本１７を出し入れすると共に、コミックス等のセット本１７、１７…を複数巻をまとめて収納できる。
【００１９】
ケース本体部１３の上部には、把手１８が設けられている。この把手１８を持って、貸出ケース１１をカウンターまで運ぶことができるものであり、あるいは貸出手続きが終わった後に持ち帰ることができる。
【００２０】
開口部１２の上部近傍には、引出片１６が設けられている。図示しない陳列棚に陳列された貸出ケース１１を手前に引き出して持ち出すときには、この引出片１６を摘んで手前に引っ張り出せばよい。
【００２１】
蓋部材１４は、ケース本体部１３の側面に連設されており、開口部１２を施蓋できる大きさであり、また、透明な合成樹脂シート材等で形成されている。従って、ケース本体部１３に収納されている本１７のタイトルや巻数等を外部から見ることができる。
【００２２】
蓋部材１４の下部には、表示部１９が設けられている。この表示部１９は、例えば長方形状の透明な合成樹脂板の両端部１９ａ、１９ａと下端部１９ｂとを蓋部材１４に溶着等して、上端部１９ｃからカード１９ｄが挿入できるようにポケット状に形成されている。このカード１９ｄには、本１７のタイトルや作品の宣伝文等の情報が表示され、お客は種々の情報を外部から読むことができる。なお、図１中の符号１９ｅは、上端部１９ｃに形成された切欠部を示す。
【００２３】
蓋部材１４の縁部と開口部１２の縁部とには、両者を係合するスライドファスナー２０が、コ字状に配設されている。このスライドファスナー２０を全開すると、蓋部材１４を横方向に手前に開くことができる。
【００２４】
このスライドファスナー２０は、図２に示すように、一対のスライダー２１、２１が設けられている。このスライダー２１、２１には、それぞれ引手２２、２２が設けられており、引手２２、２２の孔部２３、２３同士を挿通した状態でロック２４ａ付きの防犯タグ２４が係止している。
【００２５】
従って、ロック２４ａ付きの防犯タグ２４によって、お客が勝手にスライドファスナー２０を開けることができないので、貸出ケース１１内の本１７の盗難防止に有効である。また、カウンターでロック２４ａを解除しなくては防犯タグ２４を取り外せない。従って、お客が勝手に貸出ケース１１を店外に持ち出そうとすれば、店の防犯センサーが警戒音を発することとなり、貸出ケース１１の盗難防止に有効である。
【００２６】
カバー部材１５は、一端部がケース本体部１３の一方の側面に連設される。また、カバー部材１５の他端部と、ケース本体部１３の他方の側面には、それぞれ対応する位置に係止手段２５が設けられており、両者は係止自在に形成される。
【００２７】
貸出手続き（精算）が終わった貸出ケース１１は、カウンターにおいて、カバー部材１５で蓋部材１４を覆って目隠し状態にして、係止手段２５で係止する。このように処理することで、貸出手続きが終わった貸出ケース１１と、未精算の貸出ケース１１とが一目で判別できる。なお、係止手段２５の具体的な一例としては、面状テープ、スナップボタン、又は磁石等である。
【００２８】
次に、このような構成の貸出ケース１１の使用方法について説明する。まず、図示しない陳列棚の上に、図３に示す展示ケース２６を設置する。
【００２９】
展示ケース２６は、底面板２７と、背面板２８と、両方の側面板２９、２９とから成り、これらは透明な合成樹脂板で形成される。背面板２８は、上部２８ａからタイトルカード３０を差し込めるポケット構造に形成されており、その下部には、「貸出中」の表示カード３１が収納されている。
【００３０】
底面板２７は、その下部に磁石シート３２が設けられており、陳列棚の上に貼着させて固定状態に維持してズレや落下を防止している。
【００３１】
貸出ケース１１は、カバー部材１５をケース本体部１３の側面に沿って折り込んでから、展示ケース２６に載置する。ケース本体部１３にはコミックス等のセット本１７、１７…が複数巻まとめて収納されており、蓋部材１４は透明なのでお客は外部からタイトル等を見ることができる。このとき、「貸出中」の表示カード３１はケース本体部１３の後ろに隠れた状態である。
【００３２】
貸出ケース１１のスライドファスナー２０は、一対のスライダー２１同士を離隔不可能な状態にロック２４ａ付きの防犯タグ２４で係止しているので、お客が勝手にスライドファスナー２０を開けることができない。
【００３３】
また、カウンターでロック２４ａを解除しなくては防犯タグ２４を取り外せないので、お客が勝手に貸出ケース１１を店外に持ち出そうとすれば、店の防犯センサーが警戒音を発することとなる。
【００３４】
お客は、好みのコミックスが収納された貸出ケース１１を展示ケース２６から取り出して、把手１８を持ってカウンターまで運ぶ。このとき、展示ケース２６は「貸出中」の表示カード３１が現れることとなる。
【００３５】
カウンターでの貸出手続きが終わった後には、貸出ケース１１ごと持ち帰れるので便利であり、カウンターでの処理がスムーズに行える。また、カウンターにおいて、カバー部材１５で蓋部材１４を覆って目隠し状態にして、係止手段２５で係止すれば、貸出手続き（精算）が終わった貸出ケース１１であることが一目で判別できる。
【符号の説明】
【００３６】
１    コミックス用の陳列ケース
２    コミックス
３    ケース本体部
４    フィルム材
５    底部
６    ジャケット
１１  セット本の貸出ケース
１２  開口部
１３  ケース本体部
１４  蓋部材
１５  カバー部材
１６  引出片
１７  本
１８  把手
１９  表示部
１９ａ  端部
１９ｂ  下端部
１９ｃ  上端部
１９ｄ  カード
１９ｅ  切欠部
２０  スライドファスナー
２１  スライダー
２２  引手
２３  孔部
２４  防犯タグ
２４ａ  ロック
２５  係止手段
２６  展示ケース
２７  底面板
２８  背面板
２８ａ  上部
２９  側面板
３０  タイトルカード
３１  表示カード
３２  磁石シート
【図１】
2011005720.tif 000003
【図２】
2011005720.tif 000004
【図３】
2011005720.tif 000005
【図４】
2011005720.tif 000006